(57)【要約】【課題】使用寿命が長く、蝶番延長腕とヘッド台との空間構造の組合せがよい蝶番の弾力装置を提供する。【解決手段】ヘッド台１、腕片２、連接軸３及びバネ片４を含み、ヘッド台には納置室１１を備え、腕片には凸輪部２１を備え、凸輪部は納置室に置かれ連接軸が差し込まれる。バネ片はＵ字型片体であり、一端を固定部４１とし、別の一端を施力部４２とする。固定部はヘッド台の納置室の底面に貼り合わせられ、且つ納置室の底面には固定片１２が設置され、固定部は押圧されて固定される。腕片には凸輪部と鄰接する箇所に開槽２２が設置され、バネ片の施力部は開槽に差し込まれ凸輪部が押さえられる。【選択図】図１
0003133219.tif 000002
【実用新案登録請求の範囲】
【請求項１】
ヘッド台、腕片、連接軸及びバネ片を含み、ヘッド台には納置室を備え、腕片には凸輪部を備え、凸輪部は納置室一側に置かれ連接軸が差し込まれる蝶番の弾力装置において、
前記バネ片はＵ字型片体とし、バネ片には相互に連接しながらも隙間が相対する一端と別一端とを備え、一端は固定部であり、別一端は施力部とし、固定部はヘッド台の納置室の底面に貼り合わせられ、且つ納置室の底面には固定片が設置され、固定部は押圧されて固定され、腕片には凸輪部と鄰接する箇所に開槽が設置され、バネ片の施力部は開槽に差し込まれ凸輪部が押さえられることを特徴とする蝶番の弾力装置。
【請求項２】
前記納置室的底面には、別に停止体が設置され、停止体と固定片とは固定部により押さえられ、固定片に固定部が押さえられて固定されることを特徴とする請求項１に記載の蝶番の弾力装置。
【請求項３】
前記納置室底面的停止体は、バネ片の固定部辺縁に対応することを特徴とする請求項２に記載の蝶番の弾力装置。
【請求項４】
前記バネ片的固定部には、開孔が設置され、停止体により嵌入されることを特徴とする請求項２に記載の蝶番の弾力装置。
【請求項５】
前記納置室的底面には、開孔と固定片とが設置され、バネ片の固定部には停止体が設置され開孔に嵌入し、固定片に固定部が押さえられて固定されることを特徴とする請求項１に記載の蝶番の弾力装置。
【請求項６】
前記バネ片的固定部には、固定孔が設置され、納置室の底面には固定片が設置され、固定片が定孔に差し込まれ押さえられて固定されることを特徴とする請求項１に記載の蝶番の弾力装置。
【考案の詳細な説明】
【技術分野】
【０００１】
本考案は、蝶番の弾力装置に関するものであり、特にＵ字型バネ片を蝶番ヘッド台の納置室に設置し、蝶番を枢設回転して定位する弾力を提供する。
【背景技術】
【０００２】
一般に家具の蝶番の基本構造は、ヘッド台、延長腕及び固定座を含む。延長腕はヘッド台に枢設して開き、ヘッド台は通常門板等の物品に固定される。また延長腕はタンス上の固定座に固定して連接され、且つヘッド台内に弾性部品を設置して延長腕に力をかけ、門板がタンスを閉じる時、閉鎖力を備える。
家具タンスの蝶番設計のヘッド台内に設置された「弾性部品」は、ほとんどがトーションバネの形態を採用している（特許文献１から６参照）。別にバネ片の形態を採用しているものもある（特許文献７参照）。
【特許文献１】米国  特許公告第５,６０４,９５６号
【特許文献２】米国  特許公告第５,６１７,６１２号
【特許文献３】米国  特許公告第６,３９３,６６３  Ｂ１号
【特許文献４】米国  特許公告第６,４７７,７３７  Ｂ２号
【特許文献５】米国  特許公告第６,８４５,５４４  Ｂ２号
【特許文献６】米国  特許公告第６,８８０,２０５  Ｂ２号
【特許文献７】米国  特許公告第６,３６０,４０１  Ｂ１号
【考案の開示】
【考案が解決しようとする課題】
【０００３】
解決しようとする問題点は、上述の蝶番の多種の「弾性部品」が、つまり異なる性質の要求に応えるために蝶番構造を変化させたものであるため、蝶番を閉じる時、蝶番の延長腕とヘッド台との空間は異なり、その構造の変化の違いに対応するのは難しい。また平板状のバネ片を採用したものは、使用寿命が通常短い点である。
【課題を解決するための手段】
【０００４】
本考案には、ヘッド台、腕片、連接軸及バネ片を含む。ヘッド台には納置室を備え、腕片には凸輪部を備え、凸輪部を納置室一側に置いて連接軸を差し込んで設置する。そのうち、バネ片はＵ字型片体とし、バネ片には相互に連なるが間隔が相対する一端と別一端とを備え、その内の一端は固定部とし、別一端は施力部とする。固定部はヘッド台の納置室の底面に貼り合わせて固定され、腕片には凸輪部に隣接する箇所に開槽を設置し、バネ片の施力部を開槽に差し込み、凸輪部を押圧することを最も主要な特徴とする。
【考案の効果】
【０００５】
本考案の蝶番の弾力装置には、下述の利点がある。
ａ.Ｕ字型のバネ片の弾性力は疲労しにくく、使用寿命が長い。
ｂ.Ｕ字型のバネ片とヘッド台との納置室空間の組み合わせがよく、腕片機構を納置する。
【考案を実施するための最良の形態】
【０００６】
本考案は蝶番の弾力装置を提供し、蝶番の弾力装置は蝶番を閉じた時、蝶番延長腕とヘッド台との空間構造の組合せの問題を解決し、且つ蝶番の枢設回転定位を安静させる。
本考案は蝶番の弾力装置を提供し、ヘッド台、腕片、連接軸及びバネ片を含む。ヘッド台には納置室を備え、腕片には凸輪部を備え、凸輪部は納置室一側に置かれ連接軸が差し込まれる。そのうち前述のバネ片はＵ字型片体とし、バネ片は相互に連接するが隙間が相対する一端と別一端とを備える。そのうち一端は固定部とし、別一端は施力部とする。固定部はヘッド台の納置室底面に貼り合わせて固定され、腕片の凸輪部に隣接する箇所には開槽を設置し、バネ片の施力部は開槽に差し込まれて凸輪部で押圧される。
【０００７】
そのうち、納置室の底面には停止体と固定片とを設置して固定部で止められ、固定片が固定部を押して固定する。
そのうち、納置室底面の停止体はバネ片の固定部辺縁に対応する。
そのうち、バネ片の固定部には開孔を設置し、停止体を嵌入する。
【０００８】
そのうち、納置室の底面には開孔を設置し、バネ片の固定部には別の一停止体を設置して開孔に嵌入し、固定片は固定部を押圧して固定する。
そのうち、バネ片の固定部には固定孔を設置し、納置室の底面には固定片を設置し、固定片は固定孔に差し込まれ、押圧して固定する。
【実施例】
【０００９】
（実施例１）
図１に示すとおり、本考案の実施例ではヘッド台１、腕片２、連接軸３及バネ片４を含み、ヘッド台１には納置室１１を備え、腕片２には凸輪部２１を備え、凸輪部２１は納置室１１一側に設置され連接軸３で枢設される。
そのうち、ヘッド台１の納置室１１底面には固定片１２（図１は組立前／未折曲）と停止体１３とを設置する。
腕片２は、凸輪部２１と隣接する箇所に開槽２２を設置する。
バネ片４は、Ｕ字型片体とし、バネ片４には相互に連接しながら隙間が相対する一端と別一端とを備え、その一端は固定部４１であり別一端は施力部４２とする。
本実施例の組立時、図２に示すとおり（合わせて図３参照）、バネ片４を固定部４１でヘッド台１の納置室１１底面に貼り合わせ、施力部４２は腕片２の開槽２２に差し込まれ凸輪部２１で押圧され、且つ納置室１１底面の停止体１３をバネ片４の固定部４１辺縁に対応させて押さえ、更に固定片１２を折曲した後、固定部４１の別一辺縁で押さえて固定する。
上述の実施例において、蝶番を合わせて閉じた時、図３に示すとおり、腕片２はヘッド台１の納置室１１に収納され、バネ片４上方空間に納置される。
【００１０】
（実施例２）
図４に示すのは、ヘッド台１ａとバネ片４ａ固定の第二実施例である。バネ片４ａの固定部４１ａには開孔４１１ａが設置され、そこに納置室１１ａ底面の停止体１３ａを嵌入し、且つ固定片１２ａを固定部４１ａの辺縁で押さえて固定する。
【００１１】
（実施例３）
図５に示すのは、ヘッド台１ｂとバネ片４ｂ固定の第三実施例である。ヘッド台１ｂの納置室１１ｂ底面には開孔１１１ｂを設置し、バネ片４ｂの固定部４１ｂには停止体４１２ｂを設置して開孔１１１ｂに嵌入する。更に固定片１２ｂを固定部４１ｂの辺縁に押圧して固定する。
【００１２】
（実施例４）
図６に示すのは、ヘッド台１ｃとバネ片４ｃ固定の第四実施例である。バネ片４ｃの固定部４１ｃには固定孔４１３ｃを設置し、ヘッド台１ｃの納置室１１ｃ底面には固定片１２ｃを設置する。固定片１２ｃを固定孔４１３ｃに差し込んで押圧して固定する。
【図面の簡単な説明】
【００１３】
【図１】本考案の第一実施例における蝶番の弾力装置を示す分解斜視図である。
【図２】本考案の第一実施例における蝶番の弾力装置を示す平面図である。
【図３】本考案の第一実施例における蝶番の弾力装置の収納状態を示す断面図である。
【図４】本考案の第二実施例における蝶番の弾力装置のヘッド台とバネ片との構造を示す断面図である。
【図５】本考案の第三実施例における蝶番の弾力装置のヘッド台とバネ片との構造を示す断面図である。
【図６】本考案の第四実施例における蝶番の弾力装置のヘッド台とバネ片との構造を示す断面図である。
【符号の説明】
【００１４】
１：ヘッド台、１ａ：ヘッド台、１ｂ：ヘッド台、１ｃ：ヘッド台、１１：納置室、１１ａ：納置室、１１ｂ：納置室、１１ｃ：納置室、１１１ｂ：開孔、１２：固定片、１２ａ：固定片、１２ｂ：固定片、１２ｃ：固定片、１３：停止体、１３ａ：停止体、２：腕片、２１：凸輪部、２２：開槽、３：連接軸、４：バネ片、４ａ：バネ片、４ｂ：バネ片、４ｃ：バネ片、４１：固定部、４１ａ：固定部、４１ｂ：固定部、４１ｃ：固定部、４１１ａ：開孔、４１２ｂ：停止体、４１３ｃ：固定孔、４２：施力部
【図１】
0003133219.tif 000003
【図２】
0003133219.tif 000004
【図３】
0003133219.tif 000005
【図４】
0003133219.tif 000006
【図５】
0003133219.tif 000007
【図６】
0003133219.tif 000008